(57)【要約】【課題】施設運営を効果的に改善する。【解決手段】発券システム１は、発券部２と、第１取得部３と、第２取得部４と、制御部５とを備える。発券部２は、投票内容に基づいて投票券１０を発券する。第１取得部３は、投票内容を特定可能な情報を可読可能（取得可能）に構成された識別コード１１を読み取って投票内容を取得する。第２取得部４は、投票内容を特定可能な情報が記入された投票カード１２を読み取って投票内容を取得する。制御部５は、発券部２が第１取得部３により取得した投票内容に基づいて投票券１０を発券する場合に、特典を付与する。これにより、発券システム１は、第１取得部３によって投票内容を入力する動機を投票者に与え、投票カードの使用量を減少させる。【選択図】図１
2020035316.tif 000002
【特許請求の範囲】
【請求項１】
投票内容に基づいて投票券を発券する発券部と、
前記投票内容を特定可能な情報を可読可能に構成された識別コードを読み取って前記投票内容を取得する第１取得部と、
前記投票内容を特定可能な情報が記入された投票カードを読み取って前記投票内容を取得する第２取得部と、
前記発券部が前記第１取得部により取得した前記投票内容に基づいて前記投票券を発券する場合に、特典を付与する制御部と、を備える、
発券システム。
【請求項２】
前記制御部は、
前記発券部によって前記投票券の発券が行われたタイミングと、前記投票券の発券締切りタイミングとに基づいて付与する前記特典を決定する、
請求項１に記載の発券システム。
【請求項３】
過去の前記投票券の発券状況に基づいて、過去の時間帯ごとの混雑状況を特定する混雑状況特定部をさらに備え、
前記制御部は、
前記発券部によって前記投票券の発券が行われたタイミングと、前記過去の時間帯ごとの混雑状況とに基づいて付与する前記特典を決定する、
請求項１に記載の発券システム。
【請求項４】
前記投票券の発券時における混雑状況を検出する検出部をさらに備え、
前記制御部は、
前記発券部によって前記投票券の発券が行われたタイミングにおいて前記検出部が検出した前記混雑状況に基づいて付与する前記特典を決定する、
請求項１に記載の発券システム。
【請求項５】
前記識別コードから読み取られる前記投票内容には、前記投票券の発券の支払いに使用する前記特典が含まれる、
請求項１に記載の発券システム。
【請求項６】
投票内容に基づいて投票券を発券する発券手段と、
前記投票内容を特定可能な情報を可読可能に構成された識別コードを読み取って前記投票内容を取得する第１取得手段と、
前記投票内容を特定可能な情報が記入された投票カードを読み取って前記投票内容を取得する第２取得手段と、
前記発券手段が前記第１取得手段により取得した前記投票内容に基づいて前記投票券を発券する場合に、特典を付与する制御手段と、を備える、
発券方法。
【請求項７】
投票内容に基づいて投票券を発券する発券部と、
前記投票内容を特定可能な情報を可読可能に構成された識別コードを読み取って前記投票内容を取得する第１取得部と、
前記投票内容を特定可能な情報が記入された投票カードを読み取って前記投票内容を取得する第２取得部と、
前記発券部が前記第１取得部により取得した前記投票内容に基づいて前記投票券を発券する場合に、特典の付与に関する処理を実行する制御部と、を備える、
発券装置。
【発明の詳細な説明】
【技術分野】
【０００１】
本発明は、発券システム、発券方法および発券装置に関する。
【背景技術】
【０００２】
競馬、競輪、競艇およびオートレース等の公営競技では、投票券を発券する投票端末は、投票内容が記載された投票カードを読み取ることで投票内容の入力を受け付けている。また、投票カードに代えて、投票内容を読み取り可能な識別コード（二次元コード（ＱＲコード〔登録商標〕ともいう），バーコード）でも投票内容の入力を受け付け可能な投票端末もある（特許文献１参照）。
【０００３】
識別コードで投票内容の入力を受け付ける場合、投票カードが不要となり、運営コストを削減（投票カードの使用量を減少）できるため、施設運営者は、識別コードで投票内容の入力を受け付け可能な投票端末を導入して、施設運営の改善を図る場合がある。
【先行技術文献】
【特許文献】
【０００４】
【特許文献１】特開２０１７−１３０１５０号公報
【発明の概要】
【発明が解決しようとする課題】
【０００５】
しかしながら、投票カード読み取りによる投票券の購入は購入者（投票者）に根強い人気がある。そのため、識別コードでも投票内容の入力を受け付け可能な投票端末を導入しただけでは、識別コードによる投票内容の入力が利用されず、想定通りに施設運営を改善できない。
【０００６】
本発明はこのような問題に鑑みてなされたものであり、施設運営を効果的に改善可能な発券システム、発券方法および発券装置を提供することを目的とする。
【課題を解決するための手段】
【０００７】
上記目的を達成するために、以下に示すような発券システムを提供する。発券システムは、発券部と、第１取得部と、第２取得部と、制御部とを備える。発券部は、投票内容に基づいて投票券を発券する。第１取得部は、投票内容を特定可能な情報を可読可能に構成された識別コードを読み取って投票内容を取得する。第２取得部は、投票内容を特定可能な情報が記入された投票カードを読み取って投票内容を取得する。制御部は、発券部が第１取得部により取得した投票内容に基づいて投票券を発券する場合に、特典を付与する。
【発明の効果】
【０００８】
一態様によれば、施設運営を効果的に改善できる発券システム、発券方法および発券装置を提供できる。
【図面の簡単な説明】
【０００９】
【図１】第１の実施形態の発券システムの構成の一例を示す図である。
【図２】第２の実施形態のトータリゼータシステムの構成の一例を示す図である。
【図３】第２の実施形態の投票端末のハードウェア構成の一例を示す図である。
【図４】第２の実施形態の会員サーバのハードウェア構成の一例を示す図である。
【図５】第２の実施形態のホストコンピュータおよび投票端末の機能ブロックの一例を示す図である。
【図６】第２の実施形態の会員サーバおよびユーザ端末の機能ブロックの一例を示す図である。
【図７】第２の実施形態の会員データベースおよび条件テーブルの一例を示す図である。
【図８】第２の実施形態の識別コード生成の処理の流れを示すシーケンス図である。
【図９】第２の実施形態の投票画面の一例を示す図である。
【図１０】第２の実施形態の識別コードのデータ構造の一例を示す図である。
【図１１】第２の実施形態の識別コードを用いた投票券の発券の流れを示すシーケンス図である。
【図１２】第２の実施形態の特典付与処理の流れを示すフローチャートである。
【発明を実施するための形態】
【００１０】
以下、図面を参照して実施の形態を詳細に説明する。
［第１の実施形態］
まず、第１の実施形態の発券システムの構成について図１を用いて説明する。図１は、第１の実施形態の発券システムの構成の一例を示す図である。
【００１１】
発券システム１は、投票券の発券を行うシステム（トータリゼータシステム）である。発券システム１は、競馬、競輪、競艇およびオートレース等の公営競技における着順予想の投票券の発券を行う。なお、以下では、特に競馬を例として用いて説明する。
【００１２】
発券システム１は、発券部２と、第１取得部３と、第２取得部４と、制御部５とを備える。発券部２は、投票内容に基づいて投票券１０を発券する。投票内容には、たとえば、レースが開催される開催場，予想対象のレース番号，賭式（式別），予想対象の番号（組番，馬番，枠番），投票金額等が含まれる。
【００１３】
第１取得部３は、識別コード１１を読み取って投票内容を取得する。識別コード１１は、投票内容を特定可能な情報を可読可能（取得可能）に構成されたコード（たとえば、二次元コード）である。識別コード１１は、投票内容を特定可能な情報に基づいて生成される。なお、投票内容を特定可能な情報は、投票内容を特定可能であればよく、たとえば、投票内容それ自体であってもよいし、投票内容を参照（たとえば、外部のデータベースなどから参照）するための情報であってもよい。
【００１４】
第２取得部４は、投票カード１２を読み取って投票内容を取得する。投票カード１２は、投票内容を特定可能な情報が記入されたカードである。投票カード１２は、たとえば、マークシート形式であり、マークシートに設けられた項目（場名の項目、レース番号の項目、式別（賭け式）の項目、組番の項目（１着・１馬目の項目、２着・２馬目の項目、３着・３馬目の項目）、金額の項目、単位の項目）をマークすることによって投票内容が記入される。
【００１５】
制御部５は、特典を付与する。特典としては、景品等との引換に用いる特典（たとえば、ポイント等）や、投票券の代金の支払いに用いる特典（たとえば、値引や割引等）等がある。なお以下では、付与される特典は、投票券の代金の支払いに用いる特典を例として用いて説明する。
【００１６】
制御部５は、発券部２が第１取得部３により取得した投票内容に基づいて投票券１０を発券する場合に、特典を付与する。
なお、付与した特典は、特典付与の契機となった投票に対して適用するものであってもよいし、次回以降の投票（投票券の購入）に対して適用するものであってもよい。また、付与した特典は、特典付与の契機となった投票を行った投票者の情報と対応付けてシステム内で管理するものであってもよいし、発券部２から特典を印字した券を発券し投票者に対して交付するものであってもよい。
【００１７】
このような発券システム１によれば、発券部２が第１取得部３により取得した投票内容に基づいて投票券１０を発券する場合に、特典を付与するため、投票者に識別コード１１によって投票内容を入力する動機を与えることができる（入力を促すことができる）。これによれば発券システム１は、識別コード１１による投票内容の入力の利用を増やすことができ、投票カード１２の使用量を減少させることができる。
【００１８】
また、投票カード１２を用いて投票内容の入力を行う場合、誤記（マークミス）によるエラーが生じる場合があり、識別コード１１を用いて投票内容の入力を行う場合に比べて投票券１０の発券に要する時間がかかり、混雑の原因となる場合がある。この点、発券システム１は、識別コード１１による投票内容の入力を増やすことができるので、混雑の解消を図ることができる。これにより発券システム１は、顧客満足度を向上させることができる。
【００１９】
このように発券システム１によれば、運営コストの側面に加えて、顧客サービスの側面からも施設運営を効果的（効率的）に改善できる。
［第２の実施形態］
次に第２の実施形態について説明する。まず全体の概要について図２を用いて説明する。図２は、第２の実施形態のトータリゼータシステムの構成の一例を示す図である。
【００２０】
トータリゼータシステムは、ホストコンピュータ２０と、投票端末３０と、会員サーバ４０と、ユーザ端末５０とを有する。ホストコンピュータ２０と、投票端末３０と、会員サーバ４０と、ユーザ端末５０とは、ネットワーク６０を介して接続する。なお、トータリゼータシステムは、複数のホストコンピュータ２０や複数の投票端末３０や複数の会員サーバ４０や複数のユーザ端末５０を備えることができる。
【００２１】
ホストコンピュータ２０は、システム全体を管理する管理装置である。ホストコンピュータ２０は、投票端末３０に対し、投票券の発券や投票券の払い戻し等を管理するとともに、オッズの計算、配当金の計算等を行う。また、ホストコンピュータ２０は、会員サーバ４０に対し、レース情報（開催場や出走対象（出走馬）に関する情報）の提供等を行う。
【００２２】
投票端末３０は、投票券を発券する端末である。投票端末３０は、発券する投票券の投票内容を投票カードまたは識別コードにより受け付ける。投票端末３０は、投票カード排出口３００と、投票カード投入口３０１と、硬貨出入口３０２と、投票券排出口３０３と、紙幣出入口３０４と、ディスプレイ３０５と、タッチパネル３０６と、識別コード読取部３０７とを備える。
【００２３】
投票カード排出口３００は、投票カードのマークに誤記がある場合に、投票カードを返却するための排出口である。投票カード投入口３０１は、投票者が投票したい投票内容を記載（記入）した投票カード（投票申し込みマークカード）の投入口である。
【００２４】
硬貨出入口３０２は、硬貨の投入口であり、返却する硬貨または釣銭の排出口でもある。投票券排出口３０３は、発券された投票券の排出口である。紙幣出入口３０４は、紙幣の投入口であり、返却する紙幣または釣銭の排出口でもある。
【００２５】
ディスプレイ３０５は、タッチパネル３０６の下層に配置されており、操作案内、レース案内、投票カードの投票等の情報を表示する。タッチパネル３０６は、透過型のタッチパネルであり、各種の入力や投票内容の修正等の際に操作される。ディスプレイ３０５により表示された情報は、タッチパネル３０６を透過して、投票者から視認可能である。投票者は、ディスプレイ３０５により表示された情報を見ながら、タッチパネル３０６に対するタッチ操作を行うことができる。
【００２６】
識別コード読取部３０７は、識別コードを読み取って投票内容を取得するための読取装置である。識別コードは、投票内容を特定可能な情報を可読可能に構成されたコードである。識別コードは、光学的に読取可能なコードである。投票内容を特定可能な情報は、たとえば、投票内容それ自体（投票内容を直接的に取得可能な情報）であってもよいし、間接的に取得可能な情報であってもよい。なお、以下では、識別コードは、投票内容を直接的に可読可能に構成されたコードであるものとして説明する。識別コードについては後で図１０を用いて説明する。
【００２７】
会員サーバ４０は、予め登録された会員（投票者）の情報を管理し、ユーザ端末５０を介して受け付けた会員からの要求に応じて識別コードを生成（作成）する装置である。また、会員サーバ４０は、会員に対して特典を付与し、会員に付与された特典の情報を管理する。
【００２８】
ユーザ端末５０は、識別コードによる投票内容の入力を行う装置である。ユーザ端末５０は、可搬型端末であり、たとえば、スマートフォンやタブレット端末などである。ユーザ端末５０は、会員サーバ４０に対して識別コードの生成を要求して、識別コードを取得する。識別コードによる投票端末３０への投票内容の入力は、ユーザ端末５０の画面に識別コードを表示し、当該画面を識別コード読取部３０７に読み取らせることで行われる。
【００２９】
ネットワーク６０は、たとえば、ＬＡＮ（Local Area Network）、ＷＡＮ（Wide Area Network）、インターネット等のネットワーク、あるいは、それらが混在するネットワークである。ネットワーク６０は、有線ネットワークだけでなく、無線ネットワークなども含む。
【００３０】
次に、第２の実施形態の投票端末３０のハードウェア構成について図３を用いて説明する。図３は、第２の実施形態の投票端末のハードウェア構成の一例を示す図である。
投票端末３０は、制御部３１０と、ディスプレイ３０５と、タッチパネル３０６と、紙幣還流ユニット３２１と、硬貨還流ユニット３２２と、投票券印刷ユニット３２３と、可搬型記録媒体３２４と、投票カード読取ユニット３２５と、識別コード読取ユニット３２６を備える。
【００３１】
投票端末３０は、ＣＰＵ３１１（Central Processing Unit）によって装置全体が制御されている。ＣＰＵ３１１には、バス３１７を介してＲＡＭ（Random Access Memory）３１２と複数の周辺機器が接続されている。ＣＰＵ３１１は、マルチプロセッサであってもよい。ＣＰＵ３１１は、たとえば、ＭＰＵ（Micro Processing Unit）、ＤＳＰ（Digital Signal Processor）、ＡＳＩＣ（Application Specific Integrated Circuit）、またはＰＬＤ（Programmable Logic Device）であってもよい。またＣＰＵ３１１は、ＣＰＵ、ＭＰＵ、ＤＳＰ、ＡＳＩＣ、ＰＬＤのうちの２以上の要素の組み合わせであってもよい。
【００３２】
ＲＡＭ３１２は、投票端末３０の主記憶装置として使用される。ＲＡＭ３１２には、ＣＰＵ３１１に実行させるＯＳ（Operating System）のプログラムやアプリケーションプログラムの少なくとも一部が一時的に格納される。また、ＲＡＭ３１２には、ＣＰＵ３１１による処理に必要な各種データが格納される。
【００３３】
バス３１７に接続されている周辺機器としては、ＨＤＤ（Hard Disk Drive）３１３、通信インタフェース３１４、グラフィック処理装置３１５、入出力インタフェース３１６がある。
【００３４】
ＨＤＤ３１３は、内蔵したディスクに対して、磁気的にデータの書き込みおよび読出しを行う。ＨＤＤ３１３は、投票端末３０の補助記憶装置として使用される。ＨＤＤ３１３には、ＯＳのプログラム、アプリケーションプログラム、および各種データが格納される。なお、補助記憶装置としては、フラッシュメモリなどの半導体記憶装置を使用することもできる。
【００３５】
通信インタフェース３１４は、ネットワーク６０に接続されている。通信インタフェース３１４は、ネットワーク６０を介して、他装置との間でデータの送受信を行う。
グラフィック処理装置３１５には、ディスプレイ３０５が接続されている。グラフィック処理装置３１５は、ＣＰＵ３１１からの命令に従って、画像をディスプレイ３０５に表示させる。ディスプレイ３０５としては、ＣＲＴ（Cathode Ray Tube）を用いた表示装置や液晶表示装置などがある。
【００３６】
入出力インタフェース３１６には、タッチパネル３０６と、紙幣還流ユニット３２１と、硬貨還流ユニット３２２と、投票券印刷ユニット３２３と、可搬型記録媒体３２４と、投票カード読取ユニット３２５と、識別コード読取ユニット３２６とが接続されている。また、入出力インタフェース３１６は、可搬型記録媒体３２４に対する情報の書き込みおよび読み出しが可能な可搬型記録媒体インタフェースと接続可能になっている。
【００３７】
入出力インタフェース３１６は、タッチパネル３０６、紙幣還流ユニット３２１、硬貨還流ユニット３２２、投票券印刷ユニット３２３、可搬型記録媒体３２４、投票カード読取ユニット３２５、識別コード読取ユニット３２６から送られてくる信号を、バス３１７を介してＣＰＵ３１１に送信する。また、入出力インタフェース３１６は、ＣＰＵ３１１から送られてくる制御信号を、バス３１７を介して対応するユニットへ送信する。
【００３８】
紙幣還流ユニット３２１は、紙幣出入口３０４を有し、紙幣の受け入れ、紙幣の真贋の鑑別、紙幣の収納、紙幣の返却、釣銭の排出を行う。硬貨還流ユニット３２２は、硬貨出入口３０２を有し、硬貨の受け入れ、硬貨の真贋の鑑別、硬貨の収納、硬貨の返却、釣銭の排出を行う。投票券印刷ユニット３２３は、投票券排出口３０３を有し、投票内容を印刷して投票券を発券する。
【００３９】
投票カード読取ユニット３２５は、投票カード排出口３００と投票カード投入口３０１を有し、投票カードから投票内容を読み取るユニットである。識別コード読取ユニット３２６は、識別コード読取部３０７を有し、識別コードに基づいて投票内容を取得するユニットである。以上のようなハードウェア構成によって、第２の実施形態の処理機能を実現できる。
【００４０】
投票端末３０は、たとえば、読み取り可能な記録媒体に記録されたプログラムを実行することにより、第２の実施形態における処理機能を実現する。投票端末３０に実行させる処理内容を記述したプログラムは、様々な記録媒体に記録しておくことができる。たとえば、投票端末３０に実行させるプログラムをＨＤＤ３１３に格納しておくことができる。ＣＰＵ３１１は、ＨＤＤ３１３内のプログラムの少なくとも一部をＲＡＭ３１２にロードし、プログラムを実行する。また投票端末３０に実行させるプログラムを、光ディスク、メモリ装置、メモリカードなどの可搬型記録媒体３２４に記録しておくこともできる。可搬型記録媒体に格納されたプログラムは、たとえばＣＰＵ３１１からの制御により、ＨＤＤ３１３にインストールされた後、実行可能となる。またＣＰＵ３１１が、可搬型記録媒体から直接プログラムを読出して実行することもできる。
【００４１】
次に、第２の実施形態の会員サーバ４０のハードウェア構成について図４を用いて説明する。図４は、第２の実施形態の会員サーバのハードウェア構成の一例を示す図である。
会員サーバ４０は、ＣＰＵ４０１によって装置全体が制御されている。ＣＰＵ４０１は、マルチプロセッサであってもよい。ＣＰＵ４０１は、たとえば、ＭＰＵ、ＤＳＰ、ＡＳＩＣ、またはＰＬＤであってもよい。またＣＰＵ４０１は、ＣＰＵ、ＭＰＵ、ＤＳＰ、ＡＳＩＣ、ＰＬＤのうちの２以上の要素の組み合わせであってもよい。
【００４２】
ＲＡＭ４０２は、会員サーバ４０の主記憶装置として使用される。ＲＡＭ４０２には、ＣＰＵ４０１に実行させるＯＳのプログラムやアプリケーションプログラムの少なくとも一部が一時的に格納される。また、ＲＡＭ４０２には、ＣＰＵ４０１による処理に必要な各種データが格納される。
【００４３】
バス４０７に接続されている周辺機器としては、ＨＤＤ４０３、通信インタフェース４０４、グラフィック処理装置４０５、入出力インタフェース４０６がある。
ＨＤＤ４０３は、内蔵したディスクに対して、磁気的にデータの書き込みおよび読出しを行う。ＨＤＤ４０３は、会員サーバ４０の補助記憶装置として使用される。ＨＤＤ４０３には、ＯＳのプログラム、アプリケーションプログラム、および各種データが格納される。なお、補助記憶装置としては、フラッシュメモリなどの半導体記憶装置を使用することもできる。
【００４４】
通信インタフェース４０４は、ネットワーク６０に接続されている。通信インタフェース４０４は、ネットワーク６０を介して、他装置との間でデータの送受信を行う。
グラフィック処理装置４０５には、ディスプレイ４０５ａが接続されている。グラフィック処理装置４０５は、ＣＰＵ４０１からの命令に従って、画像をディスプレイ４０５ａに表示させる。ディスプレイ４０５ａとしては、ＣＲＴを用いた表示装置や液晶表示装置などがある。
【００４５】
入出力インタフェース４０６には、キーボード４０６ａと、マウス４０６ｂと、可搬型記録媒体４０６ｃとが接続されている。また、入出力インタフェース４０６は、可搬型記録媒体４０６ｃに対する情報の書き込みおよび読み出しが可能な可搬型記録媒体インタフェースと接続可能になっている。
【００４６】
入出力インタフェース４０６は、キーボード４０６ａ、マウス４０６ｂ、可搬型記録媒体４０６ｃから送られてくる信号を、バス４０７を介してＣＰＵ４０１に送信する。また、入出力インタフェース４０６は、ＣＰＵ４０１から送られてくる制御信号を、バス４０７を介して対応するユニットへ送信する。
【００４７】
以上のようなハードウェア構成によって、第２の実施形態の処理機能を実現することができる。なお、ホストコンピュータ２０もユーザ端末５０の処理機能についても図４に示した会員サーバ４０と同様のハードウェア構成により実現することができる。
【００４８】
会員サーバ４０は、たとえば、読み取り可能な記録媒体に記録されたプログラムを実行することにより、第２の実施形態における処理機能を実現する。会員サーバ４０に実行させる処理内容を記述したプログラムは、様々な記録媒体に記録しておくことができる。たとえば、会員サーバ４０に実行させるプログラムをＨＤＤ４０３に格納しておくことができる。ＣＰＵ４０１は、ＨＤＤ４０３内のプログラムの少なくとも一部をＲＡＭ４０２にロードし、プログラムを実行する。また会員サーバ４０に実行させるプログラムを、光ディスク、メモリ装置、メモリカードなどの可搬型記録媒体４０６ｃに記録しておくこともできる。可搬型記録媒体に格納されたプログラムは、たとえばＣＰＵ４０１からの制御により、ＨＤＤ４０３にインストールされた後、実行可能となる。またＣＰＵ４０１が、可搬型記録媒体から直接プログラムを読出して実行することもできる。
【００４９】
次に各装置の機能について図５，６を用いて説明する。まずホストコンピュータ２０が備える機能および投票端末３０が備える機能について図５を用いて説明する。図５は、第２の実施形態のホストコンピュータおよび投票端末の機能ブロックの一例を示す図である。
【００５０】
図５（１）に示すようにホストコンピュータ２０は、制御部２１と、記憶部２２と、通信部２３とを有する。制御部２１は、ホストコンピュータ２０が実行する各種処理を行う。たとえば、制御部２１は、通信部２３に対して情報を送受信する制御を行う。また、制御部２１は、記憶部２２に情報を記憶する制御を行う。記憶部２２は、開催されるレースに関するレース情報や投票された投票内容等の各種情報を記憶する。通信部２３は、ネットワーク６０を介して他装置との間で情報の送受信を行う。
【００５１】
図５（２）に示すように投票端末３０は、カード読取部３１と、コード読取部３２と、発券制御部３３と、通信部３４とを有する。
カード読取部３１は、マークシート形式の投票カードを読み取って投票内容を取得する。カード読取部３１は、投票カードを読み取ることで投票者によってマークされた箇所を特定して、特定したマークの組み合わせにより投票者が記入した投票内容を取得する。コード読取部３２は、識別コードを読み取って投票内容を取得する。
【００５２】
発券制御部３３は、取得した投票内容に基づいて、投票券の発券処理の制御を行う。また、発券制御部３３は、コード読取部３２が取得した投票内容に基づいて投票券を発券した場合には、会員サーバ４０に対して特典の付与を依頼する。通信部３４は、ネットワーク６０を介して他装置との間で情報の送受信を行う。
【００５３】
次に会員サーバ４０が備える機能およびユーザ端末５０が備える機能について図６を用いて説明する。図６は、第２の実施形態の会員サーバおよびユーザ端末の機能ブロックの一例を示す図である。
【００５４】
図６（１）に示すように会員サーバ４０は、コード生成部４１と、特典付与部４２と、判定部４３と、記憶部４４と、通信部４５とを有する。
コード生成部４１は、識別コードの生成に関する処理を行う。コード生成部４１は、ユーザ端末５０を介して投票者から投票内容を受け付け、受け付けた投票内容に基づいて投票内容を可読可能な識別コードを生成する。
【００５５】
特典付与部４２は、特典の付与に関する処理を行う。特典付与部４２は、識別コードを用いて投票券を購入した投票者への特典の付与を行う。特典付与部４２は、特典の付与の条件が設定された条件テーブルに基づいて、投票券を購入した投票者へ付与する特典を決定する。
【００５６】
判定部４３は、識別コードの正当性の判定を行う（識別コードの認証を行う）。具体的には、判定部４３は、投票端末３０において識別コードを用いた投票内容の入力が行われた場合に、投票端末３０からの要求を受けて、投票端末３０が読み取った識別コードが会員によって事前に生成された識別コードであるかの判定（確認）を行う。
【００５７】
記憶部４４は、会員（識別コードを用いた投票券の購入をする投票者）に関する情報が設定された会員データベース、条件テーブル、および生成した識別コードを記憶する。通信部４５は、ネットワーク６０を介して他装置との間で情報の送受信を行う。
【００５８】
このように特典付与部４２により、識別コードを用いて投票券を購入した投票者への特典の付与を行うことで、トータリゼータシステムは、識別コードを用いた投票の促進を図り（識別コードによる投票内容の入力の利用を増やし）、投票カードの使用量を減少させることができる。これによりトータリゼータシステムは、運営コストの側面から施設運営を効果的（効率的）に改善できる。
【００５９】
図６（２）に示すようにユーザ端末５０は、コード投票部５１と、記憶部５２と、通信部５３とを有する。コード投票部５１は、識別コードを用いた投票（投票内容の入力）に関する各種処理を実行する。たとえば、コード投票部５１は、投票者から投票内容の入力を受け付けると、会員サーバ４０に対して識別コードの生成を依頼して識別コードを取得して、記憶部５２に保存（記憶）させる。また、コード投票部５１は、投票者から識別コードの表示要求を受け付けると、記憶部５２から識別コードを読み出して（または、会員サーバ４０から再取得して）投票端末３０で読み取り可能に表示する。記憶部５２は、生成された識別コードを記憶する。通信部５３は、ネットワーク６０を介して他装置との間で情報の送受信を行う。
【００６０】
次に会員サーバ４０が有する会員データベースおよび条件テーブルについて図７を用いて説明する。図７は、第２の実施形態の会員データベースおよび条件テーブルの一例を示す図である。
【００６１】
まず図７（１）に示す会員データベースについて説明する。会員データベースは、識別コードを用いた投票券の購入をする投票者（会員）の情報が設定（格納，登録）されたデータベースである。会員データベースは、新規会員の登録が行われた場合などに更新される。会員データベースは、会員サーバ４０の記憶部４４に保持されている。
【００６２】
会員データベースは、「Ｎｏ．」の項目と、「会員番号」の項目と、「氏名」の項目と、「性別」の項目と、「生年月日」の項目と、「暗証番号」の項目と、「投票回数」の項目と、「保有特典」の項目と、「識別コードＩＤ」の項目とを含む。各項目の横方向に並べられた情報同士が互いに関連付けられている。なお、上記項目は一例であってこれに限らない。たとえば、会員データベースは、上記項目に加えて特典の付与に用いる情報（たとえば、過去の投票内容など）の項目を備えることができる。
【００６３】
「Ｎｏ．」の項目には、会員データベースにおいて一意に割り振られた識別番号が設定される。「会員番号」の項目には、会員ごとに一意に割り振られた識別番号が設定される。「氏名」の項目には、会員の氏名が設定される。「性別」の項目には、会員の性別が設定される。「生年月日」の項目には、会員の生年月日が設定される。「暗証番号」の項目には、会員の認証に用いる暗証番号が設定される。「投票回数」の項目には、会員が識別コードを用いた投票（投票券の購入）を行った回数が設定される。「保有特典」の項目には、会員が保有している特典が設定される。
【００６４】
識別コードＩＤは、識別コードに一意に設定された識別情報であり、記憶部４４から識別コードを一意に特定するための情報である。識別コードＩＤは、識別コードの生成時に割り振られる。「識別コードＩＤ」の項目には、会員に対して発行（生成）され、未だに投票が行われていない識別コードについての識別コードＩＤ（識別コードを特定するための識別情報）が設定される。
【００６５】
たとえば、会員データベースは、「Ｎｏ．」の項目に「１」，「会員番号」の項目に「１２３４５６」，「氏名」の項目に「ＡＢＣ」，「性別」の項目に「男」，「生年月日」の項目に「２０００／１／２」，「暗証番号」の項目に「１２３４」，「投票回数」の項目に「２０」，「保有特典」の項目に「５００円」，「識別コードＩＤ」の項目に「＃００１」が設定された会員の情報を有する。
【００６６】
これは、会員データベース内における「Ｎｏ．」が「１」である会員は、「会員番号」が「１２３４５６」であり、「氏名」が「ＡＢＣ」であり、「性別」が「男」であり、「生年月日」が「２０００年１月２日」であり、「暗証番号」が「１２３４」であり、過去に識別コードを用いた投票を「２０」回行っており、現在「５００円」分の特典を保有しており、「識別コードＩＤ」が「＃００１」である識別コードの投票内容が発券待ちの状態であることを示している。
【００６７】
次に図７（２）に示す条件テーブルについて説明する。条件テーブルは、特典を付与する条件が設定されたテーブルである。条件テーブルは、会員サーバ４０の記憶部４４に保持されている。
【００６８】
条件テーブルは、「条件」の項目と、「付与特典」の項目とを有する。各項目の横方向に並べられた情報同士が互いに関連付けられている。
「条件」の項目には、特典を付与する条件が設定される。「付与特典」の項目には、条件を満たした場合に付与する特典の内容が設定される。
【００６９】
たとえば、条件テーブルは、「発券締切り前５分以内における発券」をした場合には特典が付与されず、「発券締切り前５分〜１５分の間における発券」をした場合には「１０円」の特典が付与され、「発券締切り前１５分〜３０分の間における発券」をした場合には「２０円」の特典が付与され、「発券締切り前３０分以前における発券」をした場合には「３０円」の特典が付与されることを示している。
【００７０】
一般に、各レースの発券締切り前においては投票が増加（集中）するため、投票端末３０に混雑が発生する（使用待ちが発生する）。そのため、このように余裕をもって投票券を発券した場合（発券締切りから余裕を設けて投票した場合）に特典を付与するという条件を設定することで、トータリゼータシステムは、締切り直前における投票を抑制し、混雑を抑止することができる。これによりトータリゼータシステムは、顧客サービスの側面から施設運営を効果的に改善できる。
【００７１】
なお、発券締切りから余裕をもった投票に特典を付与するという条件は、投票端末３０の混雑していない時間に投票した場合（混雑の抑止に寄与した場合）に特典を付与する条件の一例であって、これに限らない。たとえば、過去の混雑状況（たとえば、所定時間当りの発券枚数や、カメラ等により撮影した投票端末３０周辺の人の混雑状況）を分析することで投票端末３０が混雑していない時間帯（時間帯ごとの混雑状況）を特定し、当該特定した時間帯における投票に特典を付与するという条件を設定してもよい。また、実際の投票時の混雑状況に基づいて付与する特典が変化するような条件を設定してもよい。
【００７２】
また、条件テーブルは、「投票回数１回目（初投票）」である場合には「１０円」の特典が付与され、「投票回数１０回目」である場合には「１０円」の特典が付与されることを示している。
【００７３】
このように識別コードを用いた投票を所定回数行った場合に特典を付与するという条件を設定することで、投票カードによる投票内容の入力に代えて識別コードを用いた投票内容の入力を行う動機を与えることができる。これによればトータリゼータシステムは、識別コードによる投票内容の入力の利用を増やすことができ、投票カードの使用量を減少させることができる。これによりトータリゼータシステムは、運営コストの側面から施設運営を効果的に改善できる。
【００７４】
次に識別コードを生成する処理の流れについて図８を用いて説明する。図８は、第２の実施形態の識別コード生成の処理の流れを示すシーケンス図である。
［ステップＳ１１］コード投票部５１は、投票者から認証情報（会員番号および暗証番号）の入力を受け付ける。
【００７５】
［ステップＳ１２］コード投票部５１は、受け付けた認証情報を会員サーバ４０に送信し、会員サーバ４０に対して投票者の認証を要求する。
［ステップＳ１３］コード生成部４１は、受け付けた認証情報に基づいて会員データベースを参照し、投票者の認証を行う（受け付けた会員番号および暗証番号の会員が会員データベース内に存在するか判定する）。
【００７６】
［ステップＳ１４］コード生成部４１は、認証が成功したか否かを判定する。コード生成部４１は、受け付けた会員番号および暗証番号の会員が会員データベース内に存在する場合に認証が成功したと判定する。コード生成部４１が、認証が成功したと判定した場合にはステップＳ１５に進み、認証が失敗したと判定した場合には識別コードの生成が終了する。
【００７７】
［ステップＳ１５］コード生成部４１は、投票内容を入力するための投票画面の生成に用いる情報（投票画面生成情報）を取得する。投票画面生成情報は、たとえば、投票対象となるレース（開催予定のレース）についてのレース情報や会員が使用可能な特典についての情報等であり、コード生成部４１は、記憶部４４に記憶している情報に加えてホストコンピュータ２０から投票画面の生成に用いる情報を取得する。
【００７８】
［ステップＳ１６］コード生成部４１は、取得した投票画面生成情報をユーザ端末５０に送信する。
［ステップＳ１７］コード投票部５１は、受け付けた投票画面生成情報に基づいて投票画面を生成し、投票画面を表示する。
【００７９】
［ステップＳ１８］コード投票部５１は、投票者からの投票内容の入力を受け付ける。
［ステップＳ１９］コード投票部５１は、受け付けた投票内容を会員サーバ４０に送信して、会員サーバ４０に対して識別コードの生成を要求する。
【００８０】
［ステップＳ２０］コード生成部４１は、受け付けた投票内容に基づいて、当該投票内容を可読可能に構成した識別コードを生成する。
［ステップＳ２１］コード生成部４１は、生成した識別コードを記憶部４４に記憶させる（保存する）。
【００８１】
［ステップＳ２２］コード生成部４１は、会員データベースを更新する。具体的には、コード生成部４１は、生成した識別コードについての識別コードＩＤを会員データベースに追加する。
【００８２】
［ステップＳ２３］コード生成部４１は、生成した識別コードをユーザ端末５０に送信する。
［ステップＳ２４］コード投票部５１は、受け付けた識別コードを記憶部５２に記憶させ（保存し）、識別コードの生成を終了する。
【００８３】
次にユーザ端末５０が表示する投票画面の一例について図９を用いて説明する。図９は、第２の実施形態の投票画面の一例を示す図である。
投票画面７０は、場名入力部７１と、開催日入力部７２と、レース入力部７３と、賭式入力部７４と、方式入力部７５と、組番入力部７６〜７８と、投票金額入力部７９と、使用特典入力部８０と、支払金額表示８１と、終了ボタン８２と、コード生成ボタン８３とを表示内容に含む。
【００８４】
場名入力部７１は、投票対象とするレースの場名を入力する入力部であり、選択形式で入力（選択可能な場名の中から選択して入力）するように構成されている。投票画面７０においては、場名入力部７１には「Ａ」が入力されており、投票対象とするレースの場名（開催場）が「Ａ」であることを示している。
【００８５】
開催日入力部７２は、投票対象とするレースの開催日を入力する入力部であり、選択形式で入力（選択可能な開催日の中から選択して入力）するように構成されている。投票画面７０においては、開催日入力部７２には「２０１８／１０／８」が入力されており、投票対象とするレースの開催日が２０１８年１０月８日であることを示している。
【００８６】
レース入力部７３は、投票対象とするレースのレース番号を入力する入力部であり、選択形式で入力（選択可能なレース番号の中から選択して入力）するように構成されている。投票画面７０においては、レース入力部７３には「８Ｒ」が入力されており、投票対象とするレースのレース番号が８Ｒであることを示している。
【００８７】
賭式入力部７４は、賭式（式別）を入力する入力部であり、選択形式で入力（選択可能な賭式の中から選択して入力）するように構成されている。投票画面７０においては、賭式入力部７４には「３連単」が入力されており、予想方式が３連単であることを示している。
【００８８】
方式入力部７５は、投票の方式（組番の組み合わせ方）を入力する入力部であり、選択形式で入力（選択可能な方式の中から選択して入力）するように構成されている。方式としては、流し、ブロック、通常等がある。投票画面７０においては、方式入力部７５には「通常」が入力されており、組番の組み合わせ方が通常であることを示している。
【００８９】
組番入力部７６〜７８は、組番を入力する入力部であり、選択形式で入力（選択可能な組番の中から選択して入力）するように構成されている。投票画面７０においては、組番入力部７６には「１」が入力され、組番入力部７７には「２」が入力され、組番入力部７８には「４」が入力されており、１着・１頭目を「１」、２着・２頭目を「２」、３着・３馬目を「４」と予想していることを示している。
【００９０】
投票金額入力部７９は、投票金額を入力する入力部であり、百円単位で入力するように構成されている。投票画面７０においては、投票金額入力部７９には「１０」が入力されており、投票金額（賭金）が１０００円であることを示している。
【００９１】
使用特典入力部８０は、支払いに使用する特典を入力する入力部であり、選択形式で入力（使用可能な特典の範囲で選択して入力）するように構成されている。また、使用特典入力部８０は、投票金額と同様に百円単位で入力するように構成されており、投票端末３０における投票時の支払金額を支払う時に小銭が生じにくいようになっている。このように小銭が生じにくいようにすることで、トータリゼータシステムは、支払い時間が増加するのを抑制し、混雑を抑止できる。これによりトータリゼータシステムは、顧客満足度を向上させ、顧客サービスの側面から施設運営を効果的に改善できる。投票画面７０においては、使用特典入力部８０には「１」が入力されており、使用する特典が１００円であることを示している。
【００９２】
支払金額表示８１は、投票金額から使用する特典を差し引いた金額を表示する。投票画面７０においては、支払金額表示８１は９００円を表示しており、投票端末３０において投票時に支払う金額が９００円であることを示している。
【００９３】
終了ボタン８２は、識別コードの生成の終了を指示するためのボタンである。投票画面７０において終了ボタン８２が選択（押下）された場合には、識別コードの生成が終了する。
【００９４】
コード生成ボタン８３は、入力した投票内容での識別コードの生成を指示（要求）するためのボタンである。投票画面７０においてコード生成ボタン８３が選択された場合には、当該投票画面７０の投票内容（入力内容）で識別コードの生成を指示する。
【００９５】
次に識別コードに含まれるデータ（識別コードのデータ構造，識別コードから可読可能な情報）について図１０を用いて説明する。図１０は、第２の実施形態の識別コードのデータ構造の一例を示す図である。
【００９６】
識別コードから可読可能なデータは、ヘッダ部と、投票部とを含む。ヘッダ部は、識別コード自体に関する情報で構成される。ヘッダ部は、ＩＤと、生成日と、生成時間と、会員番号と、特典使用有無とを含む。
【００９７】
ヘッダ部のＩＤには、識別コードに割り振られた識別コードＩＤを示す情報が設定される。ヘッダ部の生成日には、識別コードを生成した日にち（コード生成ボタン８３を選択した日にち）を示す情報が設定される。ヘッダ部の生成時間には、識別コードを生成した時間（コード生成ボタン８３を選択した時間）を示す情報が設定される。ヘッダ部の会員番号には、識別コードの生成をした会員（投票者）の会員番号を示す情報が設定される。ヘッダ部の特典使用有無には、特典の使用の有無を示す情報が設定される。
【００９８】
投票部は、投票内容で構成される。投票部には、投票画面７０で入力した投票内容を示す情報が設定される。投票部は、場名と、開催日と、レースと、賭式と、方式と、組番（１着・１頭目，２着・２頭目，３着・３頭目）と、投票金額と、使用特典と、支払金額とを含む。
【００９９】
投票部の場名には、投票内容として入力（場名入力部７１で入力）された場名を示す情報が設定される。投票部の開催日には、投票内容として入力（開催日入力部７２で入力）された開催日を示す情報が設定される。投票部のレースには、投票内容として入力（レース入力部７３で入力）されたレース番号を示す情報が設定される。投票部の賭式には、投票内容として入力（賭式入力部７４で入力）された賭式を示す情報が設定される。
【０１００】
投票部の方式には、投票内容として入力（方式入力部７５で入力）された方式を示す情報が設定される。投票部の組番（１着・１頭目，２着・２頭目，３着・３頭目）には、投票内容として入力（組番入力部７６〜７８で入力）された組番（１着・１頭目，２着・２頭目，３着・３頭目）を示す情報が設定される。
【０１０１】
投票部の投票金額には、投票内容として入力（投票金額入力部７９で入力）された方式を示す情報が設定される。投票部の使用特典には、投票内容として入力（使用特典入力部８０で入力）された方式を示す情報が設定される。投票部の支払金額には、投票金額から使用する特典を差し引いた金額（支払金額表示８１で表示した支払金額）を示す情報が設定される。
【０１０２】
以上が識別コードの構成（データ構造）の一例である。これによれば、トータリゼータシステムでは、識別コードから直接的に投票内容を取得できる。なお、識別コードを構成する投票部（投票内容）は１つに限らず、複数とすることもできる（複数の投票内容を含む識別コードとすることもできる）。
【０１０３】
次に投票券の発券，特典の付与の流れについて図１１を用いて説明する。なお、特典の付与が行われない投票カードを用いた投票券の発券についてはここでは説明を省略する。図１１は、第２の実施形態の識別コードを用いた投票券の発券の流れを示すシーケンス図である。
【０１０４】
［ステップＳ４１］コード読取部３２は、識別コードを読み取って識別コードからデータ（ヘッダ部および投票部の情報）を取得する。
［ステップＳ４２］発券制御部３３は、取得した識別コードのデータを会員サーバ４０に送信し、会員サーバ４０に対して識別コードの認証を要求する。
【０１０５】
［ステップＳ４３］判定部４３は、受け付けたデータに基づいて会員データベースを参照し、識別コードの認証を行う（会員が事前に生成した識別コードであるか判定する）。
［ステップＳ４４］判定部４３は、認証が成功したか否かを判定する。判定部４３は、会員が事前に生成した識別コードであると確認が取れた場合に認証が成功したと判定する。判定部４３が、認証が成功したと判定した場合には投票端末３０に認証が成功したことを通知してステップＳ４５に進み、認証が失敗したと判定した場合には投票券の発券が終了する。
【０１０６】
［ステップＳ４５］発券制御部３３は、ホストコンピュータ２０に投票内容を送信し、ホストコンピュータ２０に対して投票内容の認証を要求する。
［ステップＳ４６］制御部５１は、受け付けた投票内容に基づいて、投票内容の認証を行う（投票内容の正当性の確認を行う）。
【０１０７】
［ステップＳ４７］制御部５１は、認証が成功したか否かを判定する。制御部５１は、投票内容での投票券の発券（投票内容の投票）ができる場合に認証が成功したと判定する。たとえば、投票内容での投票券の発券ができない場合は、投票内容に欠場する競走対象（組番）を予想に組み込んだ投票が含まれている場合である。
【０１０８】
制御部５１が、認証が成功したと判定した場合には投票端末３０に認証が成功したことを通知してステップＳ４８に進み、認証が失敗したと判定した場合には投票券の発券が終了する。
【０１０９】
［ステップＳ４８］発券制御部３３は、投票内容での発券を投票者（購入者）に確認する確認画面を表示する。
［ステップＳ４９］発券制御部３３は、投票内容での発券の確定指示を投票者から受け付ける。
【０１１０】
［ステップＳ５０］発券制御部３３は、投票金額の支払を受け付ける。発券制御部３３は、支払いを受け付けるとホストコンピュータ２０に発券内容（確定した投票内容）を通知する。
【０１１１】
［ステップＳ５１］制御部５１は、発券内容を記憶部５２に保存し、オッズ等を更新する。制御部５１は、発券内容を記憶部５２に保存したことを投票端末３０に通知する。
［ステップＳ５２］発券制御部３３は、投票券を発券（発行）する。
【０１１２】
［ステップＳ５３］発券制御部３３は、特典の付与に用いられる情報（たとえば、識別コードに含まれるデータや発券完了時間）を会員サーバ４０に送信して、会員による識別コードを用いた投票券の発券が完了したことを通知する。
【０１１３】
［ステップＳ５４］特典付与部４２は、特典を付与する特典付与処理を行う。なお、特典付与処理については後で図１２を用いて説明する。特典付与部４２が、特典付与処理を終えると、投票券の発券が終了する。
【０１１４】
次に、会員サーバ４０によって行われる特典付与処理について説明する。図１２は、第２の実施形態の特典付与処理の流れを示すフローチャートである。特典付与処理は、投票券の発券時（図１１のステップＳ５４）において行われる処理である。
【０１１５】
［ステップＳ６１］特典付与部４２は、発券制御部３３から受け付けた特典の付与に用いられる情報や、会員データベースに設定された会員の情報に基づいて、条件テーブルを参照し、条件を満たしている項目を特定する。
【０１１６】
［ステップＳ６２］特典付与部４２は、特定した項目に設定された会員に対して付与する特典の内容に基づいて、会員に対して付与する特典の合計を算出する。
［ステップＳ６３］特典付与部４２は、会員データベースを更新する。特典付与部４２は、会員データベースの保有特典から使用した特典を除算し、会員データベースの保有特典に算出した特典を加算し、識別コードＩＤの項目から発券に用いた識別コードＩＤを削除し、投票回数を更新する。
【０１１７】
［ステップＳ６４］特典付与部４２は、付与した特典をユーザ端末５０に通知する。特典付与部４２が、付与した特典をユーザ端末５０に通知し終えると、特典付与処理が終了する。
【０１１８】
以上が第２の実施形態のトータリゼータシステムである。なお、特典を付与するタイミングは、投票券の購入タイミングに限らない。たとえば、トータリゼータシステムは、投票券の予想対象のレースが終了してから所定時間経過後に投票者の所定の行動（たとえば、投票券のユーザ端末による読み取り，はずれ投票券の回収装置（不図示）へのはずれ投票券の挿入）を契機に特典付与処理を行うようにしてもよい。投票券の予想がはずれた場合、投票者によっては一時的に感情的になり、投票券をレース場内の不適切な場所に放置（放棄、廃棄）してしまう場合がある。
【０１１９】
この点、所定時間経過後に投票者の行動を契機に特典付与処理を行えば、トータリゼータシステムは、落ち着きを取り戻すまでの間、投票者がはずれ投票券を保持する動機を与えることができる。これにより、トータリゼータシステムは、投票券が不適切な場所に放置されるのを抑止して、清掃コストを減少させ、運営コストの側面から施設運営を効果的に改善できる。
【０１２０】
また、トータリゼータシステムは、特典の使用条件を設定してもよい。たとえば、トータリゼータシステムは、混雑していない時間に投票した場合にのみ特典を使用可能とする。この場合には、トータリゼータシステムは、会員サーバ４０が識別コードを認証するタイミング（ステップＳ４３）において、識別コードに含まれる使用予定の特典が使用条件を満たしているかを判定し、判定結果を反映した支払金額を投票端末３０に通知することで実現できる。このように混雑していない時間に投票した場合にのみ特典を使用可能とすることで、トータリゼータシステムは、混雑の解消に寄与するタイミングにおける投票を促し、投票端末３０の混雑を抑止できる。これによりトータリゼータシステムは、顧客サービスの側面から施設運営を効果的に改善できる。
【０１２１】
なお、特典の付与は、会員サーバ４０で行うことに限らない。たとえば、特典の付与の一部または全部を投票端末３０で実行してもよい。
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。たとえば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【０１２２】
１  発券システム
２  発券部
３  第１取得部
４  第２取得部
５  制御部
１０  投票券
１１  識別コード
１２  投票カード
【図１】
2020035316.tif 000003
【図２】
2020035316.tif 000004
【図３】
2020035316.tif 000005
【図４】
2020035316.tif 000006
【図５】
2020035316.tif 000007
【図６】
2020035316.tif 000008
【図７】
2020035316.tif 000009
【図８】
2020035316.tif 000010
【図９】
2020035316.tif 000011
【図１０】
2020035316.tif 000012
【図１１】
2020035316.tif 000013
【図１２】
2020035316.tif 000014